(57)【要約】      （修正有）【課題】的確に吸気を行うことが可能なウエストバッグを提供する。【解決手段】人に装着されるウエストバッグ１００であって、ウエストバッグ１００は、ウエストバッグ１００の側面に装備され、ウエストバッグ１００の側面方向から吸気するファン５００を備える。【選択図】図１
0003235388.tif 000002
【実用新案登録請求の範囲】
【請求項１】
人に装着されるウエストバッグであって、
前記ウエストバッグは、当該ウエストバッグの側面に装備され、当該ウエストバッグの側面方向から吸気するファンを備える
ウエストバッグ。
【請求項２】
前記ファンは、前記ウエストバッグの側面方向から吸気して吸気方向と直交する方向に排気するファンであり、側面方向から吸気して上方に排気するよう前記ウエストバッグに装備されている
請求項１に記載のウエストバッグ。
【請求項３】
前記ファンは、前記ウエストバッグのうち物を収納する空間とは異なる空間に装備されている
請求項１または請求項２に記載のウエストバッグ。
【請求項４】
前記ウエストバッグは、内部の空間を分断する仕切りにより、物を収納する収納空間と、前記ファンを装備するための送風空間と、に分割されており、
前記ファンは、前記送風空間に装備されている
請求項１から請求項３までのうちのいずれか１項に記載のウエストバッグ。
【請求項５】
前記ウエストバッグは、略直方体形状であり、当該ウエストバッグを人が装着した際に人と当接する背面部と、前記ウエストバッグのうち前記背面部と反対側に形成される前面部と、前記背面部と前記前面部とを連結する側面部と、を有し、
前記ファンは、前記ウエストバッグのうち前記側面部側に装備される
請求項１から請求項４までのうちのいずれか１項に記載のウエストバッグ。
【考案の詳細な説明】
【技術分野】
【０００１】
本考案は、ウエストバッグに関する。
【背景技術】
【０００２】
送風機を装備したウエストバッグなどが知られている。
【０００３】
このようなバッグについて記載された文献として、例えば、特許文献１がある。特許文献１には、人の腰に装着可能なウエストバッグと、ファンとを備えた装着型送風機が記載されている。例えば、特許文献１によると、ウエストバッグは人の腰に接触可能なバッグ部を有しており、バッグ部には、上方向の成分を含む方向に開口した排気口と、取付孔とが設けられている。具体的には、取付孔は下方向及び外方向の少なくとも一方の方向の成分を含む方向に開口しており、外方向はバッグ部が人に接する方向を内方向としたときに内方向の反対方向となる方向である。また、ファンは、バッグ部の取付孔の周縁部に固定され且つ取付孔から露出しており、ファンが駆動することによって、空気がバッグ部内に導入され、排気口から排出される。
【先行技術文献】
【特許文献】
【０００４】
【特許文献１】特許第６８９４６５１号
【考案の概要】
【考案が解決しようとする課題】
【０００５】
特許文献１に記載の技術の場合、バッグ部の下方向及び外方向の少なくとも一方の方向の成分を含む方向に開口している。そのため、例えば、椅子に座った際など何らかの事情により下方向がふさがっている場合などにおいて、的確に吸気できないおそれがあった。このように、適切な吸気が難しいおそれがある、という課題が生じていた。
【０００６】
そこで、本考案の目的は、的確に吸気できないおそれがある、という課題を解決するウエストバッグを提供することにある。
【課題を解決するための手段】
【０００７】
かかる目的を達成するため本開示の一形態であるウエストバッグは、
人に装着されるウエストバッグであって、
前記ウエストバッグは、当該ウエストバッグの側面に装備され、当該ウエストバッグの側面方向から吸気するファンを備える
という構成をとる。
【０００８】
また、上記ウエストバッグは、
前記ファンは、前記ウエストバッグの側面方向から吸気して吸気方向と直交する方向に排気するファンであり、側面方向から吸気して上方に排気するよう前記ウエストバッグに装備されている
という構成をとる。
【０００９】
また、上記ウエストバッグは、
前記ファンは、前記ウエストバッグのうち物を収納する空間とは異なる空間に装備されている
という構成をとる。
【００１０】
また、上記ウエストバッグは、
前記ウエストバッグは、内部の空間を分断する仕切りにより、物を収納する収納空間と、前記ファンを装備するための送風空間と、に分割されており、
前記ファンは、前記送風空間に装備されている
という構成をとる。
【００１１】
また、上記ウエストバッグは、
前記ウエストバッグは、略直方体形状であり、当該ウエストバッグを人が装着した際に人と当接する背面部と、前記ウエストバッグのうち前記背面部と反対側に形成される前面部と、前記背面部と前記前面部とを連結する側面部と、を有し、
前記ファンは、前記ウエストバッグのうち前記側面部側に装備される
という構成をとる。
【考案の効果】
【００１２】
上述したような各構成によると、的確に吸気を行うことが可能なウエストバッグを提供することが出来る。
【図面の簡単な説明】
【００１３】
【図１】本開示の第１の実施形態におけるウエストバッグを前方から見た際の一例を示す斜視図である。
【図２】ウエストバッグを後方から見た際の一例を示す斜視図である。
【図３】ファンを取り除いた際のウエストバッグの一例を示す斜視図である。
【図４】ウエストバッグが装備するファンの一例を示す図である。
【図５】正面から見たウエストバッグの断面例を示す断面図である。
【考案を実施するための形態】
【００１４】
［第１の実施形態］
本開示の第１の実施形態について、図１から図５までを参照して説明する。図１は、ウエストバッグ１００を前方から見た際の一例を示す斜視図である。図２は、ウエストバッグ１００を後方から見た際の一例を示す斜視図である。図３は、ファン５００を取り除いた際のウエストバッグ１００の一例を示す斜視図である。図４は、ウエストバッグ１００が装備するファン５００の一例を示す図である。図５は、正面から見たウエストバッグ１００の断面例を示す断面図である。
【００１５】
本開示の第１の実施形態においては、ファン５００を備えたウエストバッグ１００について説明する。後述するように、本実施形態におけるウエストバッグ１００は、ウエストバッグ１００の側面に、ウエストバッグ１００からみて側面方向であるサイド方向から吸気するファン５００を装備している。例えば、ファン５００が吸気した空気は、ウエストバッグ１００の上方から排気される。
【００１６】
なお、本実施形態においては、ウエストバッグ１００のうち、人がウエストバッグ１００を装着した際に人体と当接する側を背面側と定義し、背面側とは反対側を表面側と定義して説明する。また、ウエストバッグ１００のうち、人がウエストバッグ１００を装着した際に人の頭が存在する側を上方、人の足が存在する側を下方と定義して説明する。例えば、図１は、ウエストバッグ１００よりも前方かつ上方からウエストバッグ１００を見た際の一例を示している。そのため、図１の場合、ウエストバッグ１００の前方側や上方側は描写されているが、背面側や下方側は隠れている。
【００１７】
ウエストバッグ１００は、人の腰付近、または、背中などに装着可能な収納であり、内部に形成された空間内に物を収納することが出来る。例えば、ウエストバッグ１００は、ボディバッグなどの任意の収納であってもよい。また、本実施形態においては、ウエストバッグ１００を形成する素材、生地については特に限定しない。ウエストバッグ１００は、任意の素材、生地で形成されていてよい。
【００１８】
図１は、ウエストバッグ１００を前方かつ上方からみた際の一例を示している。また、図２は、ウエストバッグ１００を後方かつ上方から見た際の一例を示している。図１、図２を参照すると、ウエストバッグ１００は、例えば、収納部２００と、ベルト部３００と、ベルト部４００と、を有している。
【００１９】
収納部２００は、物を収容可能なよう内部に所定の空間を有している。また、収納部２００は、後述するファン５００を少なくとも１つ装備している。例えば、収納部２００は、少なくとも１つの側面にファン５００を装備している。
【００２０】
図１、図２を参照すると、例えば、収納部２００は、略直方体形状をしている。収納部２００のうち背面側は、ウエストバッグ１００を装着した際に人体と当接するように所定の角度で湾曲していてもよい。一例として、収納部２００は、ウエストバッグ１００のうち上方に位置する上面部２１０と、下方に位置する底面部２２０と、右側面方向に位置する右側面部２３０と、左側面方向に位置する左側面部２４０と、前方側に位置する前面部２５０と、背面側に位置する背面部２６０と、から形成される。換言すると、ウエストバッグ１００は、ウエストバッグ１００を人が装着した際に人と当接する背面部２６０と、ウエストバッグ１００のうち背面部２６０と反対側に形成される前面部２５０と、上方に位置する上面部２１０と、下方に位置する底面部２２０と、背面部２６０と前面部２５０と上面部２１０と底面部２２０との間に位置し背面部２６０と前面部２５０と上面部２１０と底面部２２０とを連結する側面部である右側面部２３０及び左側面部２４０と、から形成される。
【００２１】
また、収納部２００は、収納として機能するための一般的な構成を有している。例えば、収納部２００のうち、上面部２１０と前面部２５０との端部付近など任意の箇所には、開閉可能なファスナ部２１１を形成することが出来る。ファスナ部２１１を開くことで、収納部２００内部に形成された空間が外部へと開口する。また、ファスナ部２１１を閉じることで、収納部２００内部に形成された空間が外部へと露出することを抑止する。なお、ファスナ部２１１は、単なる開口部などであってもよい。また、収納部２００は、前面部２５０に追加の小型収納を備えるなど、例示した以外の一般的な構成を有していてもよい。
【００２２】
本実施形態の場合、図１、図２で示すように、上面部２１０のうち右側面部２３０側端部付近には、上面部２１０を上下方向に貫通する排気孔２３１が形成されている。換言すると、上面部２１０のうち右側面部２３０側所定位置には、上面部２１０を当該上面部２１０の厚み方向に貫通する排気孔２３１が形成されている。一例として、図１、図２の場合、上面部２１０の前方側から背面側に向かって、平面視で略長方形となる一つの排気孔２３１が形成されている。上面部２１０のうち右側面部２３０側端部付近には、前方背面方向などに複数の排気孔２３１が並んで形成されるなど、複数の排気孔２３１が形成されていてもよい。
【００２３】
また、上面部２１０のうち左側面部２４０側端部付近には、上面部２１０を上下方向に貫通する排気孔２４１が形成されている。換言すると、上面部２１０のうち左側面部２４０側所定位置には、上面部２１０を当該上面部２１０の厚み方向に貫通する排気孔２４１が形成されている。一例として、図１、図２の場合、上面部２１０の前方側から背面側に向かって、平面視で略長方形となる一つの排気孔２４１が形成されている。上面部２１０のうち左側面部２４０側端部付近には、排気孔２３１の場合と同様に、前方背面方向などに複数の排気孔２３１が並んで形成されるなど、複数の排気孔２４１が形成されていてもよい。
【００２４】
なお、排気孔２３１と排気孔２４１の数や形状は、同じであってもよいし、異なっていてもよい。また、上面部２１０には、排気孔２３１と排気孔２４１とのうちの少なくとも一方が形成されていれば、必ずしも両方が形成されていなくてもよい。
【００２５】
また、図３は、ファン５００を取り外した際のウエストバッグ１００の一例を示している。図３で示すように、右側面部２３０の例えば中央付近など任意の箇所には、ファン５００が吸気するための吸気孔２３２が形成されている。つまり、右側面部２３０には、当該右側面部２３０を左右方向に貫通する（つまり、右側面部２３０の厚み方向に貫通する）吸気孔２３２が形成されている。図３で例示する場合、吸気孔２３２は側面方向から見て略円形形状を有している。しかしながら、吸気孔２３２の形状、位置などは、収納部２００が装備するファン５００に応じたものであってよい。
【００２６】
同様に、左側面部２４０の中央付近など任意の箇所には、ファン５００が吸気するための吸気孔２４２を形成することが出来る。つまり、左側面部２４０には、当該左側面部２４０を左右方向に貫通する吸気孔２４２を形成することが出来る。例えば、左側面部２４０に形成される吸気孔２４２は、吸気孔２３２と同様に、側面方向から見て略円形形状を有している。しかしながら、吸気孔２３２の場合と同様に、左側面部２４０に形成される吸気孔２４２の形状や位置などは、収納部２００が装備するファン５００に応じたものであってよい。
【００２７】
なお、収納部２００には、右側面部２３０と左側面部２４０のうちの少なくとも一方に吸気孔が形成されていれば、必ずしも両方に吸気孔が形成されていなくてもよい。つまり、収納部２００には、吸気孔２３２と吸気孔２４２のうちのいずれか一方が形成されていれば、他方は形成されていなくてもよい。
【００２８】
また、収納部２００のうち右側面部２３０側端部、または、左側面部２４０側端部、のうちの少なくとも一方には、ファン５００を装備することが出来る。例えば、収納部２００のうち、排気孔や吸気孔が形成されている側面側にファン５００を装備することが出来る。一例として、図１、図２の場合、収納部２００は、右側面部２３０側端部と左側面部２４０側端部の両方にファン５００を装備している。例えば、収納部２００は、当該収納部２００の側面方向から吸気するようファン５００を装備する。なお、収納部２００は、任意の固定具などを用いてファン５００を装備してよい。
【００２９】
図４は、収納部２００が装備するファン５００の例を示している。一例として、ファン５００は、側面方向から吸気して、吸気方向と直交する方向に排気するブロワファンなどである。例えば、ファン５００は、複数の羽根部を有しており、回転する羽根部の遠心力を利用して、吸気口５１０から吸いこんだ空気を回転する羽根部の回転軸と直交する方向に配置された排気口５２０から排気する。例えば、ファン５００は、吸気口５１０が右側面部２３０に形成された吸気孔２３２に相当する位置に位置し、排気口５２０が排気孔２３１に相当する位置に位置するように、収納部２００の右側面に装備される。これにより、ファン５００は、収納部２００の右側面において収納部２００のサイド方向から吸気するとともに、上方に向けて排気する。また、ファン５００は、吸気口５１０が左側面部２４０に形成された吸気孔２４２に相当する位置に位置し、排気口５２０が排気孔２４１に相当する位置に位置するように、収納部２００の右側面に装備される。これにより、ファン５００は、収納部２００の左側面において収納部２００のサイド方向から吸気するとともに、上方に向けて排気する。このように、ファン５００は、側面方向であるサイド方向から吸気して吸気方向と直交する上方などに排気可能なよう、収納部２００の側面に装備される。
【００３０】
なお、ファン５００は、収納部２００内部に形成された空間のうち、物を収納する空間とは別の空間に装備されてもよい。例えば、図５は、収納部２００を前方背面方向中央付近で切断した際の正面から見た断面例を示す模式図である。図５を参照すると、収納部２００の内部には、内部の空間を分断する仕切り２０１、仕切り２０２を形成することが出来る。つまり、収納部２００の内部は、仕切り２０１と仕切り２０２とにより、３つの空間に分割することが出来る。例えば、収納部２００の内部に形成された空間は、仕切り２０１と仕切り２０２とにより、収納部２００の中央に位置し物を収納可能な空間である収納空間２０３と、収納部２００のうち右側面側に位置する右側送風空間２０４と、収納部２００のうち左側面側に位置する左側送風空間２０５と、に分割される。このような場合、ファン５００は、右側送風空間２０４や左側送風空間２０５の内部に装備することが出来る。このような構成によると、ウエストバッグ１００を利用する利用者は、ファン５００の存在を意識することなくウエストバッグ１００内の収納空間２０３を利用することが出来る。
【００３１】
なお、収納部２００内部には、仕切り２０１と仕切り２０２のうちのいずれか一方のみが形成されていてもよい。収納部２００内部には、仕切り２０１と仕切り２０２のうちのいずれも形成されていなくてもよい。また、仕切り２０１や仕切り２０２は、収納部２００と同様の素材で形成されていてもよいし、収納部２００とは異なる任意の素材で形成されていてもよい。また、右側送風空間２０４や左側送風空間２０５の内部には、右側送風空間２０４や左側送風空間２０５の変形を抑止するためなどの目的のため、補強部材が配置されていてもよい。
【００３２】
また、ファン５００は、軸流ファンなどブロワファン以外であってもよい。収納部２００内部に右側送風空間２０４や左側送風空間２０５などが形成されている場合に、ファン５００として軸流ファンなどを用いてもよい。
【００３３】
また、ファン５００は、バッテリなど上記説明した以外の構成を有していてもよい。バッテリなどは、右側送風空間２０４や左側送風空間２０５内部に配置されてもよいし、収納空間２０３内部に配置されてもよい。
【００３４】
以上が、収納部２００の構成例である。
【００３５】
ベルト部３００、ベルト部４００は、人がウエストバッグ１００を装着する際などに用いる。ベルト部３００、ベルト部４００は、一方の端部が収納部２００の側面端部と連結しており、他方の端部にバックル３１０、バックル４１０を有している。より具体的には、例えば、ベルト部３００は、一方の端部が収納部２００の右側側面側かつ背面側端部と連結しており、他方の端部にバックル３１０を有している。また、ベルト部４００は、一方の端部が収納部２００の左側側面側かつ背面側端部と連結しており、他方の端部にバックル４１０を有している。
【００３６】
本実施形態において、ベルト部３００、ベルト部４００、バックル３１０、バックル４１０の具体的な構成については、特に限定しない。ベルト部３００、ベルト部４００、バックル３１０、バックル４１０は、一般的なものであってよい。
【００３７】
このように、ウエストバッグ１００は、当該ウエストバッグ１００の側面に、側面方向から吸気するファン５００を有している。このような構成によると、仮に下方などに何らかの障害物がある場合でも、問題なく吸気することが出来る。
【００３８】
なお、ウエストバッグ１００は、少なくとも１つの側面部を有していれば、本実施形態で例示した以外の形状であってもよい。例えば、ウエストバッグ１００は、前面部２５０と底面部２２０とが一体に形成されていてもよいし、右側面部２３０と左側面部２４０とのうちのいずれか一方のみが形成されていてもよい。
【００３９】
また、本実施形態においては、上面部２１０に排気孔２３１、２４１が形成されている場合について例示した。しかしながら、排気孔２３１、２４１は、背面部２６０に形成されるなど、上面部２１０以外に形成されてもよい。また、ファン５００の排気方向は、排気孔２３１、２４１の位置に応じて適宜修正されてよい。
【００４０】
以上、上記各実施形態を参照して本願考案を説明したが、本願考案は、上述した実施形態に限定されるものではない。本願考案の構成や詳細には、本願考案の範囲内で当業者が理解しうる様々な変更をすることが出来る。
【符号の説明】
【００４１】
１００  ウエストバッグ
２００  収納部
２０１  仕切り
２０２  仕切り
２０３  収納空間
２０４  右側送風空間
２０５  左側送風空間
２１０  上面部
２１１  ファスナ部
２２０  底面部
２３０  右側面部
２３１  排気孔
２３２  吸気孔
２４０  左側面部
２４１  排気孔
２４２  吸気孔
２５０  前面部
２６０  背面部
３００  ベルト部
３１０  バックル
４００  ベルト部
４１０  バックル
５００  ファン
５１０  吸気口
５２０  排気口
【図１】
0003235388.tif 000003
【図２】
0003235388.tif 000004
【図３】
0003235388.tif 000005
【図４】
0003235388.tif 000006
【図５】
0003235388.tif 000007